(57)【要約】【課題】学習支援機能を有する可搬性のよい電子教科書を提供する。【解決手段】可撓性を有するフレキシブル基板１１の片面上に電子ペーパ１２及びタッチパネル１３を積層する。また、フレキシブル基板１１の他面上に、スキャナ部１５を形成する。これら可撓性を有するフレキシブル基板１１、電子ペーパ１２、タッチパネル１３、及びスキャナ部１５から構成される電子教科書１０は、フィルム状に形成され可撓性を有する。スキャナ部１５によって読み込まれた原稿データＳＤ１は、電子ペーパ１２上に表示される。タッチパネル１３を用いて、この原稿データＳＤ１の一部をマスク表示するためのマスクデータＭＤ４、ＭＤ５を作成することができる。ボタンＢＴ５の押圧操作により、マスクデータＭＤ４、ＭＤ５を表示するか否かの切り替えが可能である。このような機能を有する電子教科書は暗記学習を支援する機能を有する。【選択図】        図６
2007034047.tif 000002
【特許請求の範囲】
【請求項１】
原稿上からの反射光を画像信号として読み取り、この画像信号を原稿データとして出力する読み取り部と、前記読み取り部の上に積層され、前記原稿データから選択的に表示画像信号を抽出する表示制御部を有するフレキシブル基板と、前記フレキシブル基板の上に積層され、前記表示制御部からの前記表示画像信号に基づく表示画像を表示する表示部と、前記表示部の上に積層され、前記表示制御部の操作を可能にする操作部とから構成され、可撓性を有するフィルム状に形成される第１電子教科書本体と、
前記原稿データをマスク表示するマスクデータであり、このマスクデータを作成するマスクデータ作成手段とを備え、
前記原稿データと前記マスクデータを前記表示画像信号として出力可能であることを特徴とする電子教科書。
【請求項２】
前記第１電子教科書本体の片面が、前記表示制御部の操作を行う操作面と、前記表示制御部からの前記表示画像信号に基づく前記表示画像を表示する表示面を有し、他面が、前記原稿上からの前記反射光を前記画像信号として読み取り可能な読み取り面を有することを特徴とする請求項１記載の電子教科書。
【請求項３】
前記操作部上の押圧信号の経時変化を記録し、押圧信号履歴情報を生成する押圧信号履歴生成手段を備え、
前記表示制御部がこの押圧信号履歴情報を前記表示画像信号として出力可能であることを特徴とする請求項１または２記載の電子教科書。
【請求項４】
前記押圧信号履歴情報が閉曲線部を有するか否かを判定する閉曲線判定手段と、
前記閉曲線判定手段によって判定される閉曲線部を前記マスクデータとして抽出するマスクデータ抽出手段とを備えることを特徴とする請求項１または３記載の電子教科書。
【請求項５】
前記原稿データと、前記マスクデータとを関連付ける関連付け手段を備えることを特徴とする請求項１ないし４いずれか１項記載の電子教科書。
【請求項６】
前記原稿データと、前記マスクデータを格納可能な記憶部とを備えることを特徴とする請求項１ないし５いずれか１項記載の電子教科書。
【請求項７】
前記閉曲線部が囲む原稿データ上のページ番号をページデータとして抽出するページデータ抽出手段を有することを特徴とする請求項１ないし６いずれか１項記載の電子教科書。
【請求項８】
前記原稿データと前記ページデータが、前記関連付け手段によって関連付けられ、前記記憶部に格納されることを特徴とする請求項７記載の電子教科書。
【請求項９】
前記原稿データ及び前記マスクデータ、並びに前記ページデータにファイル名を付与するファイル名付与手段を有することを特徴とする請求項１ないし８いずれか１項記載の電子教科書。
【請求項１０】
前記操作部により指定される前記ページデータと、
このページデータに関連付けられる前記原稿データと、
この前記原稿データに関連付けられる前記マスクデータとを前記表示画像信号として出力可能であることを特徴とする請求項９記載の電子教科書。
【請求項１１】
前記マスクデータを前記表示画像信号として出力するか否かの切り替え手段を備えることを特徴とする請求項１ないし１０いずれか１項記載の電子教科書。
【請求項１２】
前記操作部により指定される拡大表示範囲内の前記原稿データ及び前記マスクデータを拡大候補データとして抽出する拡大候補データ抽出手段と、
前記拡大候補データを所定の倍率に拡大変換させ、拡大データを得ることが可能な拡大変換手段とを備え、
この前記拡大データを前記表示画像信号として出力可能であることを特徴とする請求項１ないし１１いずれか１項記載の電子教科書。
【請求項１３】
倍率の指定を行うことが可能な倍率指定手段を備え、
前記拡大変換手段が、前記倍率指定手段によって指定される前記倍率に基づいて、前記拡大候補データを拡大変換することを特徴とする請求項１２記載の電子教科書。
【請求項１４】
前記拡大表示範囲を移動自在にする拡大表示範囲指示手段を備えることを特徴とする請求項１２または１３記載の電子教科書。
【請求項１５】
基準となる明度の閾値よりも低い明度を有する画素を記載画素、前記閾値よりも高い明度を有する前記画素を余白画素とし、前記原稿データを構成する前記画素が前記記載画素または前記余白画素のいずれかに属するかを判定する明度判定手段と、
前記原稿データを、前記記載画素のみから構成される記載データ、及び前記余白画素のみから構成される前記余白データに分離可能な分離手段と、
前記表示部上における、前記記載データまたは余白データのいずれか１つの表示色を変更可能な表示色変更手段とを備え、
前記表示色変更手段によって得られる色変更データを前記表示画像信号として出力可能であることを特徴とする請求項１ないし１４いずれか１項記載の電子教科書。
【請求項１６】
前記読み取り部が、前記原稿の一部分からの反射光を断片画像信号として読み取り、この断片画像信号を断片データとして出力し、
前記第１電子ルーペ本体が、２つの前記断片データの共通部分を重ねて結合させ、１つの結合データを生成する結合処理部を有することを特徴とする請求項１ないし１５いずれか１項記載の電子教科書。
【請求項１７】
前記表示制御部を有する前記フレキシブル基板と、前記フレキシブル基板の上に積層される前記表示部と、前記表示部の上に積層される前記操作部と、各データの送受信を可能にするデータ通信部とを備え、可撓性を有するフィルム状に形成される前記第２電子教科書本体と、
前記データ通信部を有する前記読み取り部と、
前記読み取り部及び前記第２電子ルーペ本体の前記データ通信部の間を接続する前記通信媒体とから構成されることを特徴とする請求項１ないし１６いずれか１項記載の電子教科書。
【請求項１８】
前記記憶部が、前記第１または第２電子教科書本体から脱着自在であることを特徴とする請求項１ないし１７いずれか１項記載の電子教科書。
【請求項１９】
前記第１または第２電子教科書本体が、前記記憶部に格納される各データの送受信を可能にする第２通信手段を有することを特徴とする請求項１ないし１８いずれか１項記載の電子教科書。
【発明の詳細な説明】
【技術分野】
【０００１】
本発明は、学習支援機能を有する電子教科書に関する。
【背景技術】
【０００２】
近年、電子ペーパ、シート状スキャナなど、可撓性を有する各種電子シートが開発されている。電子ペーパは、表示中に電源の供給が絶たれても、表示が消えることのない性質（不揮発性）を有する表示装置であり、光照射によって書き込みが行われる光書き込み型の電子ペーパが知られている（特許文献１、２参照）。また、有機光ダイオードと有機トランジスタとが積層されてなり、曲がった紙面の文字や絵を読み取ることを可能とするシート状スキャナが知られている（特許文献３、４参照）。
【０００３】
ところで、学生が使用する教科書や参考書などの書籍は厚み及び重量があるものが多く、これらの書籍を持ち運ぶには不便であった。また、学生がこれらの書籍に記載される文言を記憶、暗記する際に、書籍内にある文言に赤色のマーキングを行い、その上に緑色の下敷きを重ね、文言を仮想的に黒く塗りつぶした状態を作り、学習に利用していた。
【０００４】
特許文献５及び特許文献６に示される電子教科書は、書籍のデータの抽出及び抽出されたデータを表示する機能にとどまっており、例えば、教科書などに記載される重要なキーワードを覆って学習する、いわゆる、暗記学習（アウトプット学習）の用途に応え得るものではない。
【特許文献１】特開２００５−１１１８９号公報
【特許文献２】特開平１０−１６１１６１号公報
【特許文献３】特開２００３−３３２５５２号公報
【特許文献４】特開２００４−１６５９７８号公報
【特許文献５】特開２００４−４３８４号公報
【特許文献６】特開２００４−１８５４１０号公報
【発明の開示】
【発明が解決しようとする課題】
【０００５】
本発明では、可搬性が良い電子書籍に、学習支援機能が付加された電子教科書を提供することを目的とする。
【課題を解決するための手段】
【０００６】
本発明の電子教科書は、原稿上からの反射光を画像信号として読み取り、この画像信号を原稿データとして出力する読み取り部と、前記読み取り部の上に積層され、前記原稿データから選択的に表示画像信号を抽出する表示制御部を有するフレキシブル基板と、前記フレキシブル基板の上に積層され、前記表示制御部からの前記表示画像信号に基づく表示画像を表示する表示部と、前記表示部の上に積層され、前記表示制御部の操作を可能にする操作部とから構成され、可撓性を有するフィルム状に形成される第１電子教科書本体と、前記原稿データをマスク表示するマスクデータであり、このマスクデータを作成するマスクデータ作成手段とを備え、前記原稿データと前記マスクデータを前記表示画像信号として出力可能であることを特徴とする。
【０００７】
前記第１電子教科書本体の片面が、前記表示制御部の操作を行う操作面と、前記表示制御部からの前記表示画像信号に基づく前記表示画像を表示する表示面を有し、他面が、前記原稿上からの前記反射光を前記画像信号として読み取り可能な読み取り面を有することが好ましい。
【０００８】
前記操作部上の押圧信号の経時変化を記録し、押圧信号履歴情報を生成する押圧信号履歴生成手段を備え、前記表示制御部がこの押圧信号履歴情報を前記表示画像信号として出力可能であることが好ましい。
【０００９】
前記押圧信号履歴情報が閉曲線部を有するか否かを判定する閉曲線判定手段と、前記閉曲線判定手段によって判定される閉曲線部を前記マスクデータとして抽出するマスクデータ抽出手段とを備えることが好ましい。
【００１０】
前記原稿データと、前記マスクデータとを関連付ける関連付け手段を備えることが好ましい。また、前記原稿データと、前記マスクデータを格納可能な記憶部とを備えることが好ましい。
【００１１】
前記閉曲線部が囲む原稿データ上のページ番号をページデータとして抽出するページデータ抽出手段を有することが好ましい。また、前記原稿データと前記ページデータが、前記関連付け手段によって関連付けられ、前記記憶部に格納されることが好ましい。更に、前記原稿データ及び前記マスクデータ、並びに前記ページデータにファイル名を付与するファイル名付与手段を有することが好ましく、前記操作部により指定される前記ページデータと、このページデータに関連付けられる前記原稿データと、この前記原稿データに関連付けられる前記マスクデータとを前記表示画像信号として出力可能であることが好ましい。
【００１２】
前記マスクデータを前記表示画像信号として出力するか否かの切り替え手段を備えることが好ましい。
【００１３】
前記操作部により指定される拡大表示範囲内の前記原稿データ及び前記マスクデータを拡大候補データとして抽出する拡大候補データ抽出手段と、前記拡大候補データを所定の倍率に拡大変換させ、拡大データを得ることが可能な拡大変換手段とを備え、この前記拡大データを前記表示画像信号として出力可能であることが好ましい。
【００１４】
倍率の指定を行うことが可能な倍率指定手段を備え、前記拡大変換手段が、前記倍率指定手段によって指定される前記倍率に基づいて、前記拡大候補データを拡大変換することが好ましい。
【００１５】
前記拡大表示範囲を移動自在にする拡大表示範囲指示手段を備えることが好ましい。
【００１６】
基準となる明度の閾値よりも低い明度を有する画素を記載画素、前記閾値よりも高い明度を有する前記画素を余白画素とし、前記原稿データを構成する前記画素が前記記載画素または前記余白画素のいずれかに属するかを判定する明度判定手段と、前記原稿データを、前記記載画素のみから構成される記載データ、及び前記余白画素のみから構成される前記余白データに分離可能な分離手段と、前記表示部上における、前記記載データまたは余白データのいずれか１つの表示色を変更可能な表示色変更手段とを備え、前記表示色変更手段によって得られる色変更データを前記表示画像信号として出力可能であることが好ましい。
【００１７】
前記読み取り部が、前記原稿の一部分からの反射光を断片画像信号として読み取り、この断片画像信号を断片データとして出力し、前記第１電子ルーペ本体が、２つの前記断片データの共通部分を重ねて結合させ、１つの結合データを生成する結合処理部を有することが好ましい。
【００１８】
前記表示制御部を有する前記フレキシブル基板と、前記フレキシブル基板の上に積層される前記表示部と、前記表示部の上に積層される前記操作部と、各データの送受信を可能にするデータ通信部とを備え、可撓性を有するフィルム状に形成される前記第２電子教科書本体と、前記データ通信部を有する前記読み取り部と、前記読み取り部及び前記第２電子ルーペ本体の前記データ通信部の間を接続する前記通信媒体とから構成されることが好ましい。
【００１９】
前記記憶部が、前記第１または第２電子教科書本体から脱着自在であることが好ましい。
【００２０】
前記第１または第２電子教科書本体が、前記記憶部に格納される各データの送受信を可能にする第２通信手段を有することが好ましい。
【発明の効果】
【００２１】
本発明の電子教科書によれば、原稿上からの反射光を画像信号として読み取り、この画像信号を原稿データとして出力する読み取り部と、前記読み取り部の上に積層され、前記原稿データから選択的に表示画像信号を抽出する表示制御部を有するフレキシブル基板と、前記フレキシブル基板の上に積層され、前記表示制御部からの前記表示画像信号に基づく表示画像を表示する表示部と、前記表示部の上に積層され、前記表示制御部の操作を可能にする操作部とから構成され、可撓性を有するフィルム状に形成される第１電子教科書本体と、前記原稿データをマスク表示するマスクデータであり、このマスクデータを作成するマスクデータ作成手段とを備え、前記原稿データと前記マスクデータを前記表示画像信号として出力可能であるため、書籍全体のデータ化を容易にし、形態性に優れ、効率的なインプット学習及びアウトプット学習を提供することができる。
【００２２】
前記第１電子教科書本体の片面が、前記表示制御部の操作を行う操作面と、前記表示制御部からの前記表示画像信号に基づく前記表示画像を表示する表示面を有し、他面が、前記原稿上からの前記反射光を前記画像信号として読み取り可能な読み取り面を有するため、原稿上に電子教科書をおいた状態で、原稿の読み取り及び原稿の拡大表示画像を閲覧することが可能となり、使い勝手が向上する。
【００２３】
前記操作部上の押圧信号の経時変化を記録し、押圧信号履歴情報を生成する押圧信号履歴生成手段を備え、前記表示制御部がこの押圧信号履歴情報を前記表示画像信号として出力可能であるため、タッチパネル上からの操作履歴を表示部に表示可能になり、使い勝手が向上する。
【００２４】
前記押圧信号履歴情報が閉曲線部を有するか否かを判定する閉曲線判定手段と、前記閉曲線判定手段によって判定される閉曲線部を前記マスクデータとして抽出するマスクデータ抽出手段とを備えるため、マスクデータを容易に作成することができる。また、前記原稿データと前記マスクデータとを関連付ける関連付け手段を有するため、各データの管理を容易にする。なお、前記原稿データ及び前記マスクデータを格納する記憶部とを備えるため、作成した各データの保存が可能になる。
【００２５】
前記閉曲線部が囲む原稿データ上のページ番号をページデータとして抽出するページデータ抽出手段を有するため、ページデータを容易に作成することができる。また、前記原稿データと前記ページデータが、前記関連付け手段によって関連付けられ、前記記憶部に格納される、或いは、前記原稿データ及び前記マスクデータ、並びに前記ページデータにファイル名を付与するファイル名付与手段を有するため、各データの管理が容易になる。前記操作部により指定される前記ページデータと、このページデータに関連付けられる前記原稿データと、この前記原稿データに関連付けられる前記マスクデータとを前記表示画像信号として出力可能であるため、従来の教科書と同様に使用することができる。
【００２６】
前記マスクデータを前記表示画像信号として出力するか否かの切り替え手段を備えるため、アウトプット学習やインプット学習など、それぞれの学習目的に応じて使用することができる。
【００２７】
前記操作部により指定される拡大表示範囲内の前記原稿データ及び前記マスクデータを拡大候補データとして抽出する拡大候補データ抽出手段と、前記拡大候補データを所定の倍率に拡大変換させ、拡大データを得ることが可能な拡大変換手段とを備え、この前記拡大データを前記表示画像信号として出力可能であるため、各データの拡大表示を行うことができる。
【００２８】
倍率の指定を行うことが可能な倍率指定手段を備え、前記拡大変換手段が、前記倍率指定手段によって指定される前記倍率に基づいて、前記拡大候補データを拡大変換するため、所望の拡大倍率に基づいた各データの拡大表示を行うことができる。また、前記タッチパネルが、前記拡大表示範囲を移動自在にする拡大表示範囲指示手段を備えるため、拡大表示の状態で、原稿全体を閲覧することができる。
【００２９】
基準となる明度の閾値よりも低い明度を有する画素を記載画素、前記閾値よりも高い明度を有する前記画素を余白画素とし、前記原稿データを構成する前記画素が前記記載画素または前記余白画素のいずれかに属するかを判定する明度判定手段と、前記原稿データを、前記記載画素のみから構成される記載データ、及び前記余白画素のみから構成される前記余白データに分離可能な分離手段と、前記表示部上における、前記記載データまたは余白データのいずれか１つの表示色を変更可能な表示色変更手段とを備え、前記表示色変更手段によって得られる色変更データを前記表示画像信号として出力可能であるため、原稿データの余白データ或いは記載データを所望の色に変更することが可能になり、原稿データを見やすくすることができる。
【００３０】
前記読み取り部が、前記原稿の一部分からの反射光を断片画像信号として読み取り、この断片画像信号を断片データとして出力し、前記第１電子ルーペ本体が、２つの前記断片データの共通部分を重ねて結合させ、１つの結合データを生成する結合処理部を有するため、読み取り面よりも大きい面積の原稿を１つの原稿データとして作成することができる。
【００３１】
前記表示制御部を有する前記フレキシブル基板と、前記フレキシブル基板の上に積層される前記表示部と、前記表示部の上に積層される前記操作部と、各データの送受信を可能にするデータ通信部とを備え、可撓性を有するフィルム状に形成される前記第２電子教科書本体と、前記データ通信部を有する前記読み取り部と、前記読み取り部及び前記第２電子ルーペ本体の前記データ通信部の間を接続する前記通信媒体とから構成されるため、原稿データを閲覧する表示機能を多用するユーザにとって、より可搬性のよい電子教科書を提供することができる。
【００３２】
前記記憶部が、前記第１または第２電子教科書本体から脱着自在であることが好ましく、前記第１または第２電子教科書本体が、前記記憶部に格納される各データの送受信を可能にする第２通信手段を有するため、電子教科書の可搬性を損なわずに、取り扱い可能なデータ量を向上させることができる。
【発明を実施するための最良の形態】
【００３３】
本発明の第一の実施形態について説明する。図１及び図２に示すように、電子教科書１０は、フレキシブル基板１１の片面上に、電子ペーパ１２と、タッチパネル１３が順次積層するように形成される。電子ペーパ１２上に形成されるタッチパネル１３は透過性の高い材料から形成されるため、電子教科書１０の前面１４は、画像を表示する表示面及び電子教科書１０の操作を行うための操作面を有する。一方、フレキシブル基板１１の他面上にスキャナ部１５が形成されるため、電子教科書１０の背面１６は原稿の反射光を読み取り可能な読み取り面を有する。これらフレキシブル基板１１、電子ペーパ１２、タッチパネル１３及びスキャナ部１５は可撓性を有するため、電子教科書１０も可撓性を有する。
【００３４】
電子教科書１０の側面にはメモリカードスロット１０ａが設けられ、メモリカード１８はこのメモリカードスロット１０ａに脱着自在に装填される。また、入力ペン２０は、タッチパネル１３の表面を押圧するためのものである。アンテナ２１は、外部機器とのデータの送受信を行うためのものである。
【００３５】
図３において、制御部３０は、ＲＯＭ３１に記憶されたシーケンスプログラムをワークメモリであるＲＡＭ３２に読み出して実行する。
【００３６】
制御部３０からスキャン開始信号を受け取ると、スキャナ部１５は、読み取り面を通して、原稿上からの反射光を画像信号として読み取る。この画像信号はスキャナ部１５の光電変換により原稿データとなり、ＲＡＭ３２に出力される。更に、制御部３０の制御下において、メディアコントローラ３４は、この原稿データをメモリカード１８に格納する。
【００３７】
タッチパネル１３上の操作領域が押圧されると、タッチパネル１３は押圧信号を制御部３０に出力する。この押圧信号には、タッチパネル１３上の押圧操作の位置情報が含まれている。制御部３０の制御の下、押圧信号処理部３５は、押圧信号に所定の処理を施し、押圧信号情報を生成し、これらの押圧信号情報を制御部３０に出力する。押圧信号情報を検出した制御部３０は、その押圧信号情報に応じた処理を実行する。
【００３８】
表示制御部３６は、原稿データなどの各データを読み取り、このデータに表示色変更処理などの所定の処理を施し、表示画像信号として電子ペーパ１２に出力する。電子ペーパ１２は、この表示画像信号に基づく表示画像を出力する。
【００３９】
制御部３０に接続される押圧信号処理部３５は、押圧信号履歴生成部４０、文字判定部４１、閉曲線判定部４２及び範囲指定部４３から構成される。制御部３０の制御の下、押圧信号処理部３５は、タッチパネル１３からの押圧信号に所定の処理を施し、押圧信号情報である押圧信号履歴情報、判定文字情報、閉曲線部情報及び範囲指定部情報を制御部３０に出力する。
【００４０】
押圧信号履歴生成部４０は、タッチパネル１３からの押圧信号から、押圧信号の連続的な経時変化を記録し、この記録情報を押圧信号履歴情報として生成する。
【００４１】
文字判定部４１は、この押圧信号履歴情報や後述する記載データを読み込み、予めＲＯＭ３１に記憶された文字パターンデータとの照合する文字判定処理を行い、当該押圧信号履歴情報の特定をする。この文字パターンデータには、ひらがな、カタカナ、漢字、数字及びアルファベットなどの各文字の形状（文字パターン）について定義されている。文字判定部４１は、この文字判定処理によって特定された文字を判定文字情報とする。
【００４２】
閉曲線判定部４２は、押圧信号履歴情報に閉曲線判定処理を施し、閉曲線判定処理によって判定された閉曲線部を抽出する閉曲線抽出処理を施し、この閉曲線抽出処理から閉曲線部情報を生成する。閉曲線判定処理は、制御部３０が検出した押圧信号履歴情報が閉曲線部を有するか否かを判定する処理である。閉曲線抽出処理は、閉曲線部を有すると判定された押圧信号履歴情報から閉曲線部のみを抽出し、この閉曲線部の位置及び形状の情報を有する閉曲線部情報を得る。
【００４３】
閉曲線判定処理では、図４のような押圧信号履歴情報ＬＤ１、ＬＤ２が閉曲線部を有するか否かの判定を行う。閉曲線判定処理において、押圧信号履歴ＬＤ１は閉曲線部を有する押圧信号履歴情報と判定される。更に、閉曲線判定処理において閉曲線部と判定された閉曲線部ＡＤ１は、閉曲線判定部４２によって閉曲線部情報として抽出される。一方、押圧信号履歴情報ＬＤ２は、閉曲線判定処理において、閉曲線部を有さない押圧信号履歴情報と判定される。
【００４４】
図３に示す、範囲指定部４３は、２つの押圧信号である第１及び第２押圧信号が形成する長方形を範囲指定部とする範囲指定処理を行う。範囲指定部４３は、この範囲指定処理において範囲指定部の位置及び形状の情報を有する範囲指定部情報を生成する。
【００４５】
制御部３０に接続される表示制御部３６は、拡大表示処理部４５及び分離処理部４６から構成されるため、前述した各データを表示画像情報として出力する処理の他の処理を実行することができる。
【００４６】
拡大表示処理部４５は、拡大候補データ抽出処理と拡大変換処理を行い、各処理によって得られる拡大候補データ及び拡大データは制御部３０に出力される。拡大候補データ抽出処理は、範囲指定部４３によって得られる範囲指定部情報を読み取り、この範囲指定部情報内にある原稿データ、マスクデータ、ページデータを拡大候補データとして抽出する処理である。拡大変換処理は、この拡大候補データを所定の倍率に拡大した拡大データを生成する処理である。この拡大変換処理によって得られる拡大データは、制御部３０の制御の下、表示制御部３６によって表示画像信号として出力され、電子ペーパ１２上に拡大表示画像となって表示される。
【００４７】
分離処理部４６は、明度判定処理及び分離処理を行い、この処理によって得られる明度判定結果情報、余白データ及び記載データは制御部３０に出力される。
【００４８】
明度判定処理は、分離処理部４６が原稿データを構成する画素の明度を、予めＲＯＭ３１に格納される明度の閾値と比較し、閾値よりも高い明度を有する画素を余白画素と判定し、低い明度を有する画素を記載画素と判定し、この判定結果としての明度判定結果情報を生成する処理である。
【００４９】
分離処理は、この明度判定結果情報に基づいて、原稿データを、余白画素のみから構成される余白データ、及び、記載画素のみから構成される記載データの２つデータに分離する処理である。
【００５０】
制御部３０には、押圧信号処理部３５及び表示制御部３６の他、結合処理部４７が接続される。結合処理部４７は、分離処理部４６によって異なる原稿データから抽出された２つの余白或いは記載データ同士を比較し、画素の配置パターンが同一である同一部分を抽出し、２つの原稿データの同一部分を重ねるように結合させる結合処理を行う。この結合処理により２つの原稿データを１つの結合データに結合することができる。
【００５１】
識別子付与部５０は、１つの冊子を構成する原稿の原稿データ同士や、ページデータ及びマスクデータと、これら各データが抽出された原稿データとを関連付ける識別子を付与する識別子付与処理を施す。
【００５２】
識別子付与処理によって各データに付与される識別子は、書籍名、データの種類、抽出元データ識別子及びデータ識別子から構成される。書籍名は、原稿データのみに定義されるものであり、原稿が属する書籍の名称を示す。データの種類は、原稿データ、ページデータ及びマスクデータなどのデータの種類を示す。抽出元データ識別子は、マスクデータ或いはページデータが抽出された原稿データの識別子を示す。データ識別子は、他のデータと識別可能な識別子である。書籍名はタッチパネル１３からの操作によって指定され、一方、データの種類、抽出元データ識別子及びデータ識別子は識別子付与部５０により自動で付与される。
【００５３】
通信部５２はアンテナ２１と接続され、パソコンなどの外部機器とのデータ通信を可能にする各種コントローラ、ドライバ、コネクタから構成される。この通信部５２とアンテナ２１が外部機器とのデータの送受信を可能にする。
【００５４】
電子教科書１０の電源スイッチを押下すると、電子教科書１０に電源が投入され、電子ペーパ１２に、入力用ＧＵＩ画面（Graphic User Interface）であるメニュー画面が表示される。このメニュー画面は、表示モード、登録モード、分離モード及び結合モードを選択するためのモード操作ボタンが表示される。モード操作ボタンを押圧すると、電子教科書１０の動作状態は所定のモードに遷移する。
【００５５】
電子ペーパ１２上に表示される入力用ＧＵＩ画面は、電子教科書１０の操作を行うために用いられる。この入力用ＧＵＩ画面の元となる入力用ＧＵＩデータは、予めＲＯＭ３１に格納されている。この入力用ＧＵＩデータには、各操作ボタンまたは各入力文字領域の表示位置、及び操作ボタンまたは各入力文字領域が操作されたときの処理内容が定義される。制御部３０が、この入力用ＧＵＩデータを、表示制御部３６経由で出力することにより、入力用ＧＵＩデータで定義された操作ボタンが電子ペーパ１２上の所定の位置に表示される。
【００５６】
電子ペーパ１２上に入力用ＧＵＩ画面が表示され、制御部３０がタッチパネル１３からの押圧信号を読み取ると、制御部３０は、当該入力用ＧＵＩ画面に対応する入力用ＧＵＩデータをＲＯＭ３１から読み込む。制御部３０は、押圧信号に含まれる押圧操作の位置情報と、この入力用ＧＵＩデータに従って所定の操作を行う。このようにして、この電子ペーパ１２に表示される入力用ＧＵＩ画面の操作を、タッチパネル１３から行うことができる。
【００５７】
表示モードは、メモリカード１８に格納される原稿データやマスクデータなどの各データに基づいた表示画像を電子ペーパ１２に表示するモードである。登録モードは、原稿データ、マスクデータ及びページデータなどの各データの作成及び登録を行うモードである。分離モードは、原稿データから余白の部分である余白データと記載データに分離するモードである。結合モードは、２つの原稿データの共通の部分を重ね合わせ、１つの原稿データに結合するモードである。
【００５８】
表示モードには、原稿データ表示機能、原稿データ表示切り替え機能、マスクデータ表示切り替え機能、拡大表示機能及び表示色変更機能を有する。図５（Ａ）のように、表示モードでは、メモリカード１８の中から選択された原稿データＳＤ１及び原稿データＳＤ１に関連付けられたマスクデータＭＤ４、ＭＤ５や、各種操作ボタンＢＴ１〜ＢＴ７が、電子ペーパ１２上に表示される。
【００５９】
図５（Ｂ）〜（Ｄ）のように、表示モードでは、電子ペーパ１２上に表示される原稿データＳＤ１に記載されるページ番号の周囲には、原稿データの表示切り替えを可能にするページ切り替えボタンＢＴ１〜ＢＴ４或いは文字入力領域Ｗ１が電子ペーパ１２上に表示される。
【００６０】
図５（Ｂ）では、表示される原稿データＳＤ１が属する書籍の前のページの原稿データや後のページの原稿データを選択可能なＢＴ１、ＢＴ２が表示される。図４（Ｃ）では、このＢＴ１、ＢＴ２の他、原稿データＳＤ１が属する書籍の先頭ページの原稿データや最後のページの原稿データを選択可能にするＢＴ３、ＢＴ４が併せて表示される。タッチパネル１３の操作により、これらのボタンＢＴ１〜ＢＴ４に対応する押圧信号は、押圧信号処理部３５を経由して、押圧信号情報となってＲＡＭ３２に格納される。制御部３０は、この押圧信号情報をＲＡＭ３２から読み取り、押圧信号情報に従い所定のページデータに関連付けられる原稿データ及びマスクデータをメモリカード１８から読み出し、これらのデータを、表示制御部３６経由で電子ペーパ１２に表示する。
【００６１】
図５（Ｄ）のように、ＢＴ１〜ＢＴ４の代わりに、タッチパネル１３上にて入力ペン２０などから入力が可能な文字入力領域Ｗ１を電子ペーパ１２上に表示してもよい。入力ペン２０によりこの文字入力領域Ｗ１上で押圧操作されると、制御部３０の制御の下、押圧信号処理部３５が、押圧信号履歴情報を生成し、この押圧信号履歴情報は制御部３０に出力される。この押圧信号情報には、文字入力領域Ｗ１上で押圧操作による押圧信号履歴情報が含まれている。文字判定部４１は、この押圧信号履歴情報とＲＯＭ３１に記憶された文字パターンから文字判定処理を行い、文字入力領域Ｗ１に入力された文字を判定文字として特定する。制御部３０は、この文字判定処理によって得られる判定文字が示すページデータ、このページデータに関連付けられる原稿データ及びマスクデータを電子ペーパ１２に表示する。
【００６２】
電子ペーパ１２に表示されるマスクデータ表示状態切り替えボタンＢＴ５を押下すると、電子ペーパ１２に表示される原稿データＳＤ１に関連付けられたマスクデータ表示状態のオン／オフの切り替え処理が行われる。マスクデータ表示状態がオフになっている状態（図５（Ａ））において、マスクデータ表示切り替えボタンＢＴ５を押下すると、マスクデータ表示がオンになり原稿データＳＤ１に関連付けられるマスクデータＭＤ４、ＭＤ５が表示される（図６）。再度マスクデータ表示状態切り替えボタンＢＴ５を押下することにより、マスクデータ表示状態がオフに戻る。マスクデータ表示状態がオフのときは、図４（Ａ）に示すように、マスクデータの輪郭のみを表示する。
【００６３】
電子ペーパ１２に表示される拡大表示ボタンＢＴ６を押下すると、範囲指定部４３による範囲指定処理と、拡大表示処理部４５による拡大候補データ抽出処理と拡大変換処理によって、図５（Ａ）に示す指定範囲Ｗ２の原稿データ及びマスクデータが所定の倍率に拡大表示される。
【００６４】
タッチパネル１３上の押圧操作により頂点Ａ１、Ａ２を指定すると、範囲指定処理部４３は、これら頂点Ａ１及びＡ２を対角とする長方形を指定範囲Ｗ２として設定する。拡大候補データ抽出処理において、この指定範囲Ｗ２内にある原稿データ、マスクデータ及びページデータを拡大候補データとして抽出する。拡大変換処理により拡大候補データから所定の倍率に拡大された拡大データは、表示制御部３６によって電子ペーパ１２に出力される（図７）。
【００６５】
この拡大データに基づく拡大表示画像ＷＧ１が電子ペーパ１２に表示されると、スクロールバーＳＢ０が拡大表示画像ＷＧ１の縁に表示される。スクロールバーＳＢ０は、指定範囲Ｗ２を、原稿データＳＤ１内で上下左右に移動自在とするスクロールボタンＳＢ１〜ＳＢ４から構成される。これらのスクロールスイッチＳＢ１〜ＳＢ４を押圧することにより、指定範囲Ｗ２が所定の方向に移動する。スクロールバーＳＢ０の操作により指定範囲Ｗ２の位置が変更すると、新たな指定範囲が設定され、この指定範囲に対応する新たな拡大表示画像が電子ペーパ１２上に表示される。
【００６６】
電子ペーパ１２に表示される表示色変更ボタンＢＴ７を押下すると、原稿データＳＤ１に分離処理部４６による明度判定処理、分離処理が施され、原稿データＳＤ１の余白データ及び記載データが生成される。また、電子ペーパ１２における余白データの表示色の指定を行うための入力用ＧＵＩ画面が表示され、タッチパネル１３の操作によりの表示色が指定される。この操作によって指定される表示色は、色情報となって制御部３０に出力される。制御部３０の制御の下、表示制御部３６は、この色情報に基づいて余白データに表示色変換処理を施す。この表示色変換処理によって得られる表示画像信号は電子ペーパ１２に出力される。余白データは、電子ペーパ１２上にて所望の表示色で表示される。
【００６７】
登録モードでは、データ作成モード及びデータ登録モードを有し、これらの各モードを開始するための各種操作ボタンが電子ペーパ１２上に表示される。データ作成モードボタンが押圧されると、制御部３０は、各データのデータ作成処理を実行し、このデータ作成処理によって得られる原稿データ、ページデータ及びマスクデータを、ＲＡＭ３２に一旦格納される。このデータ作成処理には、作成するデータの種類に応じて原稿データ作成処理、ページデータ作成処理及びマスクデータ作成処理の３つの処理がある。
【００６８】
一方、データ登録モードボタンが押圧されると、制御部３０は、データ作成処理で得た各データに識別子付与処理及びデータ保存処理を施す。識別子付与処理では、ページデータ及びマスクデータと、これらのデータが作成された原稿データとの関連付けを行う識別子付与処理を行う。データ保存処理では、制御部３０の制御の下、メディアコントローラ３４が、ファイル名入力用ＧＵＩ画面によって指定されるファイル名とともに、各データをメモリカード１８に格納する。
【００６９】
原稿データ作成処理では、電子ペーパ１２上にスキャン開始ボタンが表示される。図８のように電子教科書１０を本５３の間に挟み込み、所望の原稿５４を電子教科書１０の背面１６に密着させる。電子ペーパ１２上に表示されるスキャン開始ボタンを押下すると、制御部３０にスキャナ開始信号が入力され、スキャナ部１５により原稿５４が画像信号として読み込まれる。スキャナ部１５は、この画像信号を原稿データとして制御部３０に出力される。
【００７０】
ページデータ作成処理では、タッチパネル１３を用いて指定された範囲に、閉曲線判定処理、閉曲線抽出処理及び文字判定処理を施すことによって、ページデータが作成される。はじめに、制御部３０の制御の下、表示制御部３６が原稿データＳＤ１を電子ペーパ１２上に表示する。次に、図９のように、入力ペン２０を用いて、原稿データＳＤ１に表示されるページ番号の周囲を囲む。この操作により、押圧信号履歴生成部４０にてページデータ抽出領域を指定するための押圧信号履歴情報ＬＤ３が生成される。第３に、閉曲線判定部４２は、押圧信号履歴情報ＬＤ３の押圧信号履歴情報に閉曲線判定処理を施し、押圧信号履歴情報ＬＤ３が閉曲線部を有するか否かの判定を行う。第４に、閉曲線抽出処理により、この閉曲線部から閉曲線部情報が抽出される。この閉曲線部情報はＲＡＭ３２に格納される。第５に、文字判定部４１は、この閉曲線部情報に従い閉曲線部内の原稿データＳＤ１について文字判定処理を施し、原稿データＳＤ１に記載されるページ番号を判定文字情報として読み取る。このような各処理によって得られる判定文字情報は制御部３０に出力され、制御部３０は、この判定文字情報をページデータとみなす。
【００７１】
マスクデータ作成処理では、タッチパネル１３を用いて指定された範囲に、閉曲線判定処理及び閉曲線抽出処理を施すことによって、マスクデータが作成される。図９のように、ページデータ作成処理と同様に、入力ペン２０を用いて原稿データＳＤ１上のマスク表示範囲を囲む。この操作により、押圧信号履歴生成部４０にてマスクデータ形成領域を指定するための押圧信号履歴情報ＬＤ４、ＬＤ５が生成される。これら押圧信号履歴情報ＬＤ４、ＬＤ５に閉曲線判定処理及び閉曲線抽出処理を施すことにより、押圧信号履歴情報ＬＤ４、ＬＤ５が有する閉曲線部が抽出される。この閉曲線部の閉曲線部情報がＲＡＭ３２に格納され、制御部３０は、この閉曲線部情報をマスクデータＭＤ４、ＭＤ５とみなす（図５（Ａ））。
【００７２】
識別子付与部５０は、データ作成処理によって得られる原稿データ同士、並びに原稿データと、この原稿データから抽出されたページデータ及びマスクデータとに識別子を付与する識別子付与処理を施し、この処理によって作成される識別子は当該データに付与される。また、識別子の１つである書籍名は、後述するファイル名入力用ＧＵＩ画面を用いて指定され、その他の識別子であるデータの種類、抽出元データ識別子及びデータ識別子は、識別子付与部５０によって自動的に作成される。
【００７３】
データ保存処理において、制御部３０は、ＲＡＭ３２に格納される原稿データ、ページデータ及びマスクデータにファイル名を付与してメモリカード１８に格納する。また、このファイル名付与方法には、キーボード入力処理、ペン入力処理及び自動付与処理を用いる方法があり、各方法に応じたファイル名入力用ＧＵＩ画面及び制御部３０による自動付与処理によってファイル名が決定される。
【００７４】
キーボード入力処理が実行されると、図１０のように、電子ペーパ１２上にキーボード画面ＫＬ１が表示される。このキーボード画面ＫＬ１には、複数の操作ボタンが、パーソナルコンピュータなどに用いられるキーボードボタンのように配列されている。制御部３０は、タッチパネル１３からの押圧信号と、ＲＯＭ３１に格納されるキーボード画面データを照合して、タッチパネル１３からの押圧操作によって入力された文字を特定する。このような処理によって特定された文字は、表示制御部３６を介して、電子ペーパ１２上の所定の場所に表示される。
【００７５】
ペン入力処理が実行されると、図５（Ｄ）で示す文字入力領域Ｗ１と同様の文字入力領域が電子ペーパ１２上に表示される。文字判定部４１は、この文字入力領域の押圧操作により得られる押圧信号履歴情報と、予めＲＯＭ３１に格納された文字パターンデータとを照合する文字判定処理を行う。このような文字判定処理によって特定された文字は、表示制御部３６を介して、電子ペーパ１２上の所定の場所に表示される。
【００７６】
自動付与処理が実行されると、制御部３０はメモリカード１８に格納されるファイル名付与履歴を参照しながら、各データにファイル名を付与する。このファイル名付与履歴には、ファイル名形式定義情報と、データに付与されたファイル名履歴情報から構成される。制御部３０は、データ保存処理において、このファイル名形式定義情報に基づき、ファイル名履歴情報に存在しないファイル名を生成し、生成した新しいファイル名をデータに付与する。また、制御部３０は、各データに付与したファイル名をファイル名付与履歴情報に追記する。
【００７７】
分離モードでは、分離処理部４６による明度判定処理及び分離処理が行われる。明度判定処理では、原稿データＳＤ２を構成する各画素の明度を測定する。図１１（Ａ）の原稿データＳＤ２に明度判定処理を施すと、図１１（Ｂ）のように、分離処理が行われた原稿データＳＤ２の各画素は、明度の高い画素ＨＧと明度の低い画素ＬＧに振り分けられる。分離処理では、これらの画素ＨＧからなる余白データＢＧＤ１と、画素ＬＧからなる記載データＰＲＤ１に分離され、余白データＢＧＤ１及び記載データＰＲＤ１はＲＡＭ３２に格納される（図１１（Ｃ））。制御部３０の制御の下で、メディアコントローラ３４は、これらの余白データＢＧＤ１及び記載データＰＲＤ１をメモリカード１８に格納する。
【００７８】
結合モードでは、結合処理部４７によって２つの原稿データを１つの原稿データに結合する結合処理が行われる。分離処理部４６は明度判定処理及び分離処理が２つの原稿データそれぞに施され、２対の記載データと余白データが生成される。結合処理部４７は、２つの記載データを照合し、記載データが重なり合う共通部分を検出する。この共通部分が同一の原稿から得られた原稿データと判定され、この共通部分を重ねるようにして２つの記載データを結合させる。これらの記載データは、１つの原稿データとなりＲＡＭ３２に格納される。
【００７９】
次に、本発明の電子教科書１０の作用について説明する。閉曲線判定処理におけるフローチャートを図１２に示す。押圧信号処理部３５がタッチパネル１３上からの押圧信号を検出すると（ステップＳ４００）、押圧信号履歴生成部４０が押圧信号履歴を生成する（ステップＳ４１０）。制御部３０が押圧信号履歴情報を検出すると、制御部３０の制御の下、表示制御部３６がこの押圧信号履歴情報を表示部１２へ出力する。電子ペーパ１２は、この押圧信号履歴情報に基づく押圧信号履歴画像を表示する（ステップＳ４２０）。制御部３０が押圧信号の入力を検出しつづけている間、これら押圧信号履歴情報の生成及び押圧信号履歴画像の表示が連続して行われる（ステップＳ４１０〜Ｓ４３０）。制御部３０が、この押圧信号が途絶えたこと検出すると、閉曲線判定部４２によって、この押圧信号履歴情報が閉曲線部を有するか否かの判定処理を行う（ステップＳ４４０）。閉曲線判定部４２によって、閉曲線部を有さないと判定された押圧信号履歴情報は破棄され、再度閉曲線の指定の行う旨を電子ペーパ１２上に表示し（ステップＳ４５０）、電子教科書１０の動作状態はステップＳ４００に戻る。閉曲線判定部４２によって、閉曲線部を有すると判定された押圧信号履歴情報は、制御部３０の制御の下、ＲＡＭ３２に格納され（ステップＳ４６０）、閉曲線判定処理が終了する。
【００８０】
次に、データ登録モードにおけるフローチャートを図１３に示す。データ登録モードにおいて、制御部３０は、データ保存処理の対象となるデータを選択する（ステップＳ６００）。電子ペーパ１２上には、選択されたデータが表示され（ステップＳ６１０）、ファイル名付与方法の各処理に対応する操作ボタンが表示される（ステップＳ６２０）。制御部３０は、キーボード入力処理ボタン、ペン入力処理ボタン、自動付与処理ボタンが押下されたことを検出すると、それに応じるキーボード入力処理（ステップＳ６３０）、ペン入力処理（ステップＳ６５０）、自動付与処理（ステップＳ６７０）を実行する。
【００８１】
キーボード入力処理が実行されると、キーボード画面が電子ペーパ１２上に表示され（ステップＳ６３２）、このキーボード画面上を押圧すると、この押圧操作に応じた入力文字が電子ペーパ１２上に表示される（ステップＳ６３４〜Ｓ６３６）。このようなステップＳ６３２〜Ｓ６３８の操作を繰り返し行いながらファイル名の文字を１文字ずつ入力する。所望のファイル名の入力処理の完了後、電子ペーパ１２に表示されるファイル名決定ボタンを押圧するとファイル名が確定される（ステップＳ６３８、Ｓ６８０）。
【００８２】
ペン入力処理が選択されると、ペン入力画面が電子ペーパ１２上に表示され（ステップＳ６５２）、このペン入力画面内を押圧操作すると（ステップＳ６５４）、文字判定部４１は、タッチパネル１３からの押圧信号履歴情報と、予めＲＯＭ３１に格納された文字パターンデータとを照合する文字判定処理を行う（ステップＳ６５６）。この文字判定処理によって特定された判定文字が電子ペーパ１２上に表示される（ステップＳ６５８）。このようなステップＳ６５２〜６６０の操作を繰り返し行いながらファイル名の文字を１文字ずつ入力する。所望のファイル名の入力が完了後、電子ペーパ１２に表示される確定ボタンを押圧するとファイル名が確定する（ステップＳ６６０、Ｓ６８０）。
【００８３】
自動入力モードが選択されると、制御部３０は自動入力処理を実行する。（ステップＳ６７０）自動入力処理によって指定されたファイル名は電子ペーパ１２上に表示され（ステップＳ６７２）、ファイル名が確定する（ステップＳ６８０）。
【００８４】
ファイル名の確定後、当該データに識別子付与処理が実行される（ステップＳ６９０）。識別子付与処理の完了後、制御部３０の制御の下で、メディアコントローラ３４は、当該データを、ファイル名付与方法によって指定されたファイル名と、識別子付与処理によって付与される識別子と共にメモリカード１８に格納する（ステップＳ７００）。未登録のデータがあれば、その未登録データについてステップＳ６００〜Ｓ７００までの処理が行われる。すべてのデータの登録が完了すると登録モードが終了する。
【００８５】
上記実施形態では、表示部を電子ペーパと記載したが、これに限らず、有機ＥＬパネルなど可撓性を有する他の表示部を用いてもよい。
【００８６】
上記実施形態では、原稿データから原稿データをマスク表示するためのマスクデータを生成すると記載したが、これに限らず、原稿データに追記するメモ書きなどの内容をメモデータとして作成及び登録し、これを電子ペーパ１２に表示可能にすることにより、更に使い勝手のよい電子教科書を提供することができる。
【００８７】
上記実施形態では、マスクデータの表示切り替えをページデータ単位で行うと記載したが、これに限らず、入力ペン２０などを用いて表示切り替えを行うマスクデータの選択後、マスクデータ表示状態切り替えボタンＢＴ５を押下し、選択されたマスクデータの表示切り替えを行ってもよい。
【００８８】
マスクデータが作成される原稿データは、スキャナから読み取った直後のデータ、或いは、メモリカード１８から読み込んだデータのどちらでもよい。
【００８９】
上記実施形態では、マスクデータ表示がオフのときにはマスクデータの輪郭のみを表示すると記載したが、これに限らず、マスクデータの輪郭を非表示してもよい。
【００９０】
上記実施形態では、拡大表示ボタンによって原稿データが所定の倍率に拡大表示されると記載したが、これに限らず、電子ペーパ１２上の文字入力領域を表示し、入力ペン２０などを用いてこの文字入力領域から拡大倍率を指定してもよい。また、各データの拡大表示において、原稿データの拡大画像が電子ペーパ１２の表示部に表示不可となった場合にのみスクロールバーを表示してもよい。
【００９１】
表示色変更処理を、余白データの代わりに記載データに施してもよい。また、余白データ及び記載データそれぞれに施しても、同等の効果を得ることができる。
【００９２】
上記実施形態では、記載データＰＲＤ１及び余白データＢＧＤ１をメモリカード１８に格納すると記載したが、これに限らず、書籍の情報を有する記載データＰＲＤ１のみをメモリカード１８に格納してもよい。このように、原稿データから余白データを取り除くことにより、メモリカード１８に格納するファイルサイズの増大化を抑えることができる。
【００９３】
上記実施形態では、各データをメモリカード１８に格納すると記載したが、これに限らず、アンテナ２１及び通信部５２を用いて外部機器が有する記憶部に格納してもよい。
【００９４】
上記実施形態では、スキャナ部１５を内蔵する電子教科書１０について記載したが、これに限らず、スキャナ部８１と電子教科書本体８４が分離した形態でもよい。図１４及び図１５に示すように、電子教科書８０は、スキャナ部８１と電子教科書本体８４から構成され、スキャナ部８１と電子教科書本体８４の間はケーブル８５によって接続される。電子教科書本体８４及びスキャナ部８１に内蔵される通信部とケーブル８５からなる通信手段は、スキャナ部８１と電子教科書本体８４間における各データの送受信を可能にする。電子教科書本体８４は、フレキシブル基板８７上に、電子ペーパ８８、タッチパネル８９と順次重ねられる。フレキシブル基板８７、電子ペーパ８８及びタッチパネル８９は可撓性を有するため、電子教科書本体８４も可撓性を有する。タッチパネル８９は透過性のよい材料から形成されるため、電子教科書本体８４の前面９０は、操作面と表示面を有する。また、入力ペン９３は、タッチパネル８９の表面を押圧するためのものである。
【００９５】
このようにスキャナ部８１と電子教科書本体８４が分離してなる電子教科書８０は、図１６のように、スキャナ部８１を小型にすることが可能となる。また、原稿９５を複数回に分けて断片原稿データを得て、これら断片原稿データを電子教科書本体８４に内蔵される分離処理部及び結合処理部を用いて１つの原稿データＳＤ４を得ることができる。また、電子教科書８０に内蔵される押圧信号処理部や表示制御部の各処理により、この原稿データＳＤ４からページデータやマスクデータを作成することが可能である。
【００９６】
上記実施形態では、スキャナ部８１と電子教科書本体８４の間をケーブル８５で接続されているが、これに限らず、スキャナ部１８及び電子教科書本体８４間の無線通信を可能とする通信部をスキャナ部１８及び電子教科書本体８４に設けてもよい。
【図面の簡単な説明】
【００９７】
【図１】本発明の第１実施形態である電子教科書の斜視図である。
【図２】電子教科書の側面の断面図である。
【図３】電子教科書のブロック図である。
【図４】（Ａ）は、閉曲線判定部によって閉曲線部を有すると判定される押圧信号履歴画像を示す説明図である。（Ｂ）は、閉曲線判定部によって閉曲線部を有さないと判定される押圧信号履歴画像を示す説明図である。
【図５】（Ａ）は表示モードにおける電子教科書の表示画面の概要を示す説明図である。（Ｂ）は、ページ番号の近傍に２つのページ切り替えボタンが表示され、ページデータの近傍部分を拡大した拡大図である。（Ｃ）は、ページ番号の近傍に４つのページ切り替えボタンが表示され、ページ番号の近傍部分を拡大した拡大図である。（Ｄ）は、ページ番号の近傍にページ指定可能な文字入力領域が表示され、ページ番号の近傍部分を拡大した拡大図である。
【図６】原稿データの一部がマスクデータによりマスク表示される表示画面の様子を示す図である。
【図７】拡大表示モードにおける、表示画面の概要を示す図である。
【図８】電子教科書を用いて原稿データの読み取りを行う様子を示す斜視図である。
【図９】ページデータ及びマスクデータ作成処理において、ページデータ抽出領域及びマスクデータ抽出領域を指定する様子を示す説明図である。
【図１０】キーボード入力画面が電子ペーパに表示される様子を示す説明図である。
【図１１】（Ａ）は、スキャナ部によって読み込まれた原稿データを示す図である。（Ｂ）は、図１１（Ａ）のＢ部を拡大した拡大図である。（Ｃ）は、分離処理部を用いて、図１１（Ａ）に示す原稿データから得られる記載データと余白データを示す図である。
【図１２】閉曲線判定処理のフローチャートである。
【図１３】データ登録モードのフローチャートである。
【図１４】本発明の第２実施形態である電子教科書の斜視図である。
【図１５】第２実施形態である電子教科書の断面図である。
【図１６】複数の断片データに結合処理を施し、複数の断片原稿データから得られる原稿データが電子ペーパに表示される示す平面図である。
【符号の説明】
【００９８】
１０，８０  電子教科書
１１，８７  フレキシブル基板
１２，８８  電子ペーパ
１３，８９  タッチパネル
１５，８１  スキャナ部
１８  メモリカード
２１  アンテナ
３４  メディアコントローラ
３５  押圧信号処理部
３６  表示制御部
４０  押圧信号履歴生成部
４１  文字判定部
４２  閉曲線判定部
４３  範囲指定部
４５  拡大表示処理部
４６  分離処理部
４７  結合処理部
５０  識別子付与部
５２  通信部
【図１】
2007034047.tif 000003
【図２】
2007034047.tif 000004
【図３】
2007034047.tif 000005
【図４】
2007034047.tif 000006
【図５】
2007034047.tif 000007
【図６】
2007034047.tif 000008
【図７】
2007034047.tif 000009
【図８】
2007034047.tif 000010
【図９】
2007034047.tif 000011
【図１０】
2007034047.tif 000012
【図１１】
2007034047.tif 000013
【図１２】
2007034047.tif 000014
【図１３】
2007034047.tif 000015
【図１４】
2007034047.tif 000016
【図１５】
2007034047.tif 000017
【図１６】
2007034047.tif 000018